(57)【要約】【課題】複数の交換レンズを傷付けることなくカメラバッグに収納して運ぶことができるようにする。【解決手段】レンズ鏡筒本体(１０)の外周面に複数の弾性突起（１１，１２）を周方向に沿って設けた。レンズ鏡筒本体（１０）の光軸（Ｌ）を中心とする複数の弾性突起（１１，１２）の先端に接する仮想円の直径はレンズ鏡筒本体（１０）の最も外径の大きな部分の直径より大きい。【選択図】図２
2011252987.tif 000002
【特許請求の範囲】
【請求項１】
レンズ鏡筒本体の外周面に複数の弾性突起が周方向に沿って設けられ、前記レンズ鏡筒本体の光軸を中心とする前記複数の弾性突起の先端に接する仮想円の直径は前記レンズ鏡筒本体の最も外径の大きな部分の直径より大きいことを特徴とする交換レンズ。
【請求項２】
前記複数の弾性突起のうちの少なくとも１つに紐を通すための貫通穴が設けられていることを特徴とする請求項１記載の交換レンズ。
【請求項３】
前記複数の弾性突起は前記外周面に周方向へ回転可能に設けられていることを特徴とする請求項１又は２記載の交換レンズ。
【請求項４】
前記外周面に着脱可能に設けられた弾性リングに前記弾性突起が設けられていることを特徴とする請求項１又は２記載の交換レンズ。
【請求項５】
前記外周面に前記弾性リングを配置する溝が設けられていることを特徴とする請求項４記載の交換レンズ。
【請求項６】
レンズキャップ本体の外周面に複数の弾性突起が周方向に沿って設けられていることを特徴とするレンズキャップ。
【請求項７】
前記レンズキャップ本体の中心軸に対して対称な位置にキャップ着脱用つまみを設け、前記弾性突起が前記キャップ着脱用つまみを周方向で挟むように配置されていることを特徴とする請求項６記載のレンズキャップ。
【請求項８】
前記複数の弾性突起のうちの少なくとも１つに紐を通すための貫通穴が設けられていることを特徴とする請求項６又は７記載のレンズキャップ。
【請求項９】
請求項６〜８のいずれか１項記載のレンズキャップは前記交換レンズの被写体側レンズを保護するフロントキャップである。
【請求項１０】
交換レンズの外周面に着脱可能に装着されるリング部と、前記リング部の外周面に周方向に沿って設けられた複数の弾性突起部とを備えていることを特徴とする弾性リング。
【発明の詳細な説明】
【技術分野】
【０００１】
この発明は交換レンズ、レンズキャップ、フロントキャップ及び弾性リングに関する。
【背景技術】
【０００２】
一眼レフカメラでは撮影目的に応じてレンズ交換が可能なことから、撮影場所に複数の交換レンズを携帯することが多い。複数の交換レンズを携帯する手段としてはいわゆるカメラバッグが用いられている。カメラバッグの内周面部と底面部とはカメラや交換レンズが傷付かないように柔らかい素材で形成されている。また、複数の交換レンズをカメラバッグに収納して運ぶ際には、隣り合う交換レンズの外周面同士が互いに擦れ合って、それらの外周面に傷が付かないように、カメラバッグの内部は仕切り板を用いて仕切られる。
【０００３】
しかし、交換レンズには種々の直径のものがあるので、カメラバッグに付属する仕切り板を用いることができない場合があり、その場合にはカメラバッグに仕切り板を用いずに複数の交換レンズを収納せざるを得ず、隣り合う交換レンズの外周面同士が直接当たり擦れて傷が付く。
【０００４】
ところで、従来、交換レンズ（レンズ鏡筒本体）として、その外周部に複数のモード設定スイッチ（突起）を有する、モード設定交換レンズが知られている（下記特許公報参照）。
【先行技術文献】
【特許文献】
【０００５】
【特許文献１】特開平５−２１０１４２号公報
【発明の概要】
【発明が解決しようとする課題】
【０００６】
上記複数のモード設定交換レンズをカメラバッグに収納する場合、モード設定交換レンズのモード設定スイッチを他のモード設定交換レンズの外周面に当接させることによって隣り合うモード設定交換レンズの外周面同士が直接当たらないようにすることができる。
【０００７】
しかし、モード設定スイッチは硬い材料でできているので、モード設定スイッチによってモード設定交換レンズの外周部が傷付くおそれがある。この損傷は一般的な交換レンズの外周面同士が直接当たって生じる損傷よりも大きい。
この発明はこのような事情に鑑みてなされたもので、その課題は複数の交換レンズを傷付けることなくカメラバッグに収納して運ぶことができるようにすることである。
【課題を解決するための手段】
【０００８】
上記課題を解決するため請求項１記載の発明は、レンズ鏡筒本体の外周面に複数の弾性突起が周方向に沿って設けられ、前記レンズ鏡筒本体の光軸を中心とする前記複数の弾性突起の先端に接する仮想円の直径は前記レンズ鏡筒本体の最も外径の大きな部分の直径より大きいことを特徴とする。
【０００９】
請求項２記載の発明は、請求項１記載の交換レンズにおいて、前記複数の弾性突起のうちの少なくとも１つに紐を通すための貫通穴が設けられていることを特徴とする。
【００１０】
請求項３記載の発明は、請求項１又は２記載の交換レンズにおいて、前記複数の弾性突起は前記外周面に周方向へ回転可能に設けられていることを特徴とする。
【００１１】
請求項４記載の発明は、請求項１又は２記載の交換レンズにおいて、前記外周面に着脱可能に設けられた弾性リングに前記弾性突起が設けられていることを特徴とする。
【００１２】
請求項５記載の発明は、請求項４記載の交換レンズにおいて、前記外周面に前記弾性リングを配置する溝が設けられていることを特徴とする。
【００１３】
請求項６記載の発明は、レンズキャップ本体の外周面に複数の弾性突起が周方向に沿って設けられていることを特徴とする。
【００１４】
請求項７記載の発明は、請求項６記載のレンズキャップにおいて、前記レンズキャップ本体の中心軸に対して対称な位置にキャップ着脱用つまみを設け、前記弾性突起が前記キャップ着脱用つまみを周方向で挟むように配置されていることを特徴とする。
【００１５】
請求項８記載の発明は、請求項６又は７記載のレンズキャップにおいて、前記複数の弾性突起のうちの少なくとも１つに紐を通すための貫通穴が設けられていることを特徴とする。
【００１６】
請求項９記載の発明は、請求項６〜８のいずれか１項記載のレンズキャップは前記交換レンズの被写体側レンズを保護するフロントキャップである。
【００１７】
請求項１０記載の発明は、交換レンズの外周面に着脱可能に装着されるリング部と、前記リング部の外周面に周方向に沿って設けられた複数の弾性突起部とを備えていることを特徴とする弾性リング。
【発明の効果】
【００１８】
この発明によれば複数の交換レンズを傷付けることなくカメラバッグに収納して運ぶことができる。
【図面の簡単な説明】
【００１９】
【図１】図１はこの発明の第１実施形態に係る交換レンズの側面図である。
【図２】図２は交換レンズを図１の１Ａ方向から見た図である。
【図３】図３は２本の交換レンズをカメラバッグの収納ケースに収納した状態を示す図である。
【図４】図４は４本の交換レンズをカメラバッグの収納ケースに収納した状態を示す図である。
【図５】図５はこの発明の第１実施形態の第１の変形例に係る交換レンズをリアキャップ側から見た図である。
【図６】図６はこの発明の第１実施形態の第２の変形例に係る交換レンズの側面図である。
【図７】図７はこの発明の第１実施形態の第３の変形例に係る弾性リングの正面図である。
【図８】図８はこの発明の第１実施形態の第４の変形例に係る交換レンズの側面図である。
【図９】図９はこの発明の第２実施形態に係るレンズキャップの正面図である。
【図１０】図１０はこの発明の第２実施形態に係るレンズキャップの側面図である。
【図１１】図１１はこの発明の第２実施形態に係るレンズキャップの背面図である。
【図１２】図１２はこの発明の第２実施形態の変形例に係るレンズキャップの正面図である。
【図１３】図１３はこの発明の第３実施形態に係るレンズキャップの正面図である。
【図１４】図１４はこの発明の第３実施形態に係るレンズキャップの側面図である。
【図１５】図１５はこの発明の第３実施形態の変形例に係るレンズキャップの正面図である。
【発明を実施するための形態】
【００２０】
以下、この発明の実施の形態を図面に基づいて説明する。
【００２１】
図１はこの発明の第１実施形態に係る交換レンズ１の側面図、図２は交換レンズ１を図１の１Ａ方向から見た図である。
【００２２】
交換レンズ１は、レンズ鏡筒本体１０と、レンズ鏡筒本体１０に回転可能に設けられたズームリング５と、レンズ鏡筒本体１０の外周面に設けられた弾性を有する突起（以下弾性突起という）１１，１２とを備えている。弾性突起１１，１２は所定の間隔をおいて周方向へ並ぶように設けられ、それらの弾性突起１１，１２の先端はレンズ鏡筒本体１０の光軸Ｌを中心とする仮想円に接する。レンズ鏡筒本体１０は円筒形状であり、その内部には複数のレンズ（図示せず）が収容されている。
【００２３】
レンズ鏡筒本体１０の後端には、カメラ（図示せず）から交換レンズ１を外したときにレンズ鏡筒本体１０のカメラとの連結部を誤って硬いものにぶつけて変形させ、交換レンズ１をカメラに装着できなくならないようにするためにレンズ鏡筒本体１０のカメラとの連結部を保護するリアキャップ３０が装着されている。
【００２４】
レンズ鏡筒本体１０の前端には被写体側レンズ（図示せず）を保護するフロントキャップ（レンズキャップ）２０が装着されている。
【００２５】
次に、２本の交換レンズ１，４（図３参照）のカメラバッグ（図示せず）の収納ケース５０への収納方法を説明する。
【００２６】
図３は２本の交換レンズ１，４をカメラバッグの収納ケース５０に収納した状態を示す図である。なお、交換レンズ４と交換レンズ１とは同じ大きさ・形状である。
【００２７】
収納ケース５０には２本の交換レンズ１，４が収納されている。２本の交換レンズ１，４のフロントキャップ２０が収納ケース５０の底面部５０ａに当接し、リアキャップ３０が収納ケース５０の開口から露出している。収納ケース５０の底面部５０ａは、柔らかい素材（例えば発泡スチロール）で形成される。
【００２８】
２本の交換レンズ１，４のレンズ鏡筒本体１０，４０の外周面は収納ケース５０の側面部５０ｂに当接している。収納ケース５０の側面部５０ｂは柔らかい素材（例えば発泡スチロール）で形成される。
【００２９】
交換レンズ１のレンズ鏡筒本体１０の弾性突起１１，１２が交換レンズ４のレンズ鏡筒本体４０の外周面に当接するので、レンズ鏡筒本体１０の外周面とレンズ鏡筒本体４０の外周面とが直接接触しない。そのため、２本の交換レンズ１，４の間に仕切り板を配置しなくても、２本の交換レンズ１，４が収納されたカメラバッグを運ぶ際に２本の交換レンズ１，４のレンズ鏡筒本体１０，４０の外周面同士が擦れ合わない。なお、交換レンズ４のレンズ鏡筒本体４０の弾性突起４１，４２を交換レンズ１のレンズ鏡筒本体１０の外周面に当接させるようにしてもよい。
【００３０】
図４は４本の交換レンズ１，４，７，８をカメラバッグ（図示せず）の収納ケース６０に収納した状態を示す図である。なお、交換レンズ７，８は交換レンズ１，４と同じ大きさ・形状である。
【００３１】
カメラバッグの収納ケース６０には４本の交換レンズ１，４，７，８が収納されている。４本の交換レンズ１，４，７，８のフロントキャップ２０が収納ケース６０の底面部６０ａに当接し、リアキャップ３０が収納ケース６０の開口から露出している。収納ケース６０の底面部６０ａは柔らかい素材（例えば発泡スチロール）で形成される。
【００３２】
４本の交換レンズ１，４，７，８のレンズ鏡筒本体１０，４０，７０，８０の外周面は収納ケース６０の側面部６０ｂに当接している。収納ケース６０の側面部６０ｂは柔らかい素材（例えば発泡スチロール）で形成される。
【００３３】
レンズ鏡筒本体１０の弾性突起１１，１２がレンズ鏡筒本体４０の外周面に当接し、レンズ鏡筒本体４０の弾性突起４１，４２がレンズ鏡筒本体７０の外周面に当接し、レンズ鏡筒本体７０の弾性突起７１，７２がレンズ鏡筒本体８０の外周面に当接し、レンズ鏡筒本体８０の弾性突起８１，８２がレンズ鏡筒本体１０の外周面に当接している。したがって、レンズ鏡筒本体１０の外周面とレンズ鏡筒本体４０の外周面、レンズ鏡筒本体４０の外周面とレンズ鏡筒本体７０の外周面、レンズ鏡筒本体７０の外周面とレンズ鏡筒本体８０の外周面及びレンズ鏡筒本体８０の外周面とレンズ鏡筒本体１０の外周面とが、それぞれ直接接触しない。そのため、交換レンズ１と交換レンズ４との間、交換レンズ４と交換レンズ７との間、交換レンズ７と交換レンズ８との間及び交換レンズ８と交換レンズ１との間に、それぞれ仕切り板を配置しなくても、交換レンズ１，４，７，８が収納されたカメラバッグを運ぶ際にレンズ鏡筒本体１０，４０，７０，８０の外周面同士が擦れ合わない。
【００３４】
なお、レンズ鏡筒本体４０の弾性突起４１，４２をレンズ鏡筒本体１０の外周面に当接させ、レンズ鏡筒本体１０の弾性突起１１，１２をレンズ鏡筒本体８０の外周面に当接させ、レンズ鏡筒本体８０の弾性突起８１，８２をレンズ鏡筒本体７０の外周面に当接させ、レンズ鏡筒本体７０の弾性突起７１，７２をレンズ鏡筒本体４０の外周面に当接させるようにしてもよい。
【００３５】
この実施形態によれば、交換レンズ１，４，７，８のレンズ鏡筒本体１０，４０，７０，８０の外周面同士が直接接触しないので、複数の交換レンズを傷付けることなくカメラバッグに収納して運ぶことができる。また、カメラバッグの収納ケース６０の底面部は柔らかい素材で形成されているので、フロントキャップの前面を傷付けることがない。更に、弾性突起１１，１２，４１，４２，７１，７２，８１，８２は柔らかく、従来例のモード設定スイッチのように硬い材料でできていないので、弾性突起１１，１２，４１，４２，７１，７２，８１，８２によって交換レンズ１，４，７，８のレンズ鏡筒本体１０，４０，７０，８０の外周面を傷つけない。なお、上記交換レンズ１，４，７，８の弾性突起１１，１２，４１，４２，７１，７２，８１，８２は従来の交換レンズのようにモード設定スイッチではないのでモードが切り換わるおそれもない。
【００３６】
図５はこの発明の第１実施形態の第１の変形例に係る交換レンズ９をリアキャップ３０側から見た図であり、第１実施形態と共通する部分には同一符号を付してその説明を省略する。
【００３７】
この第１の変形例は、交換レンズ９のレンズ鏡筒本体９０の外周面に周方向へ並ぶように設けられた２つの弾性突起９１，９２のうちの一方の弾性突起９１に紐（図示せず）の一端を通す貫通穴９１ａを設けた点で、第１実施形態と相違する。紐の他端はフロントキャップ２０に取り付けられている。
【００３８】
この第１の変形例によれば、第１実施形態と同様の効果を奏するとともに、貫通穴９１ａに紐を通すことで、フロントキャップ２０の紛失を防ぐことができる。
【００３９】
図６はこの発明の第１実施形態の第２の変形例に係る交換レンズ２の側面図であり、第１実施形態と共通する部分には同一符号を付してその説明を省略する。
【００４０】
この第２の変形例は、交換レンズ２のレンズ鏡筒本体１００の外周面に２つの弾性突起（図６では一方の弾性突起１０２だけが見えている）を有するリング１０３を回転可能に設けた点で、第１実施形態と相違する。
【００４１】
この第２の変形例によれば、第１実施形態と同様の効果を奏するとともに、複数の交換レンズ２をカメラバッグに収納する際、リング１０３を回転させるだけで弾性突起１０２等を交換レンズ２のレンズ鏡筒本体１００に隣り合う他の交換レンズ２のレンズ鏡筒本体１００の外周面に当接させることができるので、第１実施形態より複数の交換レンズのカメラバッグへの収納が容易になる。
【００４２】
図７はこの発明の第１実施形態の第３の変形例に係る弾性リング１１３の正面図である。
【００４３】
弾性リング１１３は、断面が矩形になったリング部１１５と、リング部１１５の外周面に周方向に沿って所定の間隔をおいて配置された弾性突起１１１，１１２とを備えている。リング部１１５は弾性突起１１１，１１２とともにゴム等で一体に形成されている。
【００４４】
この第３の変形例によれば、弾性リング１１３を弾性突起が設けられていないレンズ鏡筒本体（図示せず）の外周面に取り付けることでレンズ鏡筒本体の外周面に弾性突起１１１，１１２を容易に設けることができるので、第１実施形態と同様の効果を奏する。
【００４５】
図８はこの発明の第１実施形態の第４の変形例に係る交換レンズ３の側面図である。
【００４６】
交換レンズ３のレンズ鏡筒本体１１０の外周面には、弾性リング１１３（図７参照）とほぼ同じ形状・大きさの溝１１０ａが形成されている。弾性リング１１３を溝１１０ａに嵌め込むことによって、レンズ鏡筒本体１１０に弾性突起１１１，１１２を設けることができる。
【００４７】
この変形例４によれば、溝１１０ａを利用して弾性リング１１３をレンズ鏡筒本体１１０の予め決められた位置に取り付けることができ、しかも取り付け後に弾性リング１１３が光軸方向にずれることがないので、弾性リング１１３の位置が安定する。
【００４８】
図９はこの発明の第２実施形態に係るレンズキャップの正面図、図１０はその側面図、図１１はその背面図である。
【００４９】
交換レンズ（図示せず）の前端に装着されるフロントキャップ（レンズキャップ）１２０は、円筒形状の円筒部１２０Ａと、円筒部１２０Ａの一端を塞ぐ蓋部１２０Ｂと、蓋部１２０Ｂの外周面に設けられた複数の弾性突起１２１，１２２とを備えている。弾性突起１２１，１２２は周方向へ並ぶように設けられている。円筒部１２０Ａと蓋部１２０Ｂとでレンズキャップ本体が構成される。
【００５０】
フロントキャップ１２０の中心軸ＡＸに対して対称な位置に、一対のつまみ(着脱用つまみ)１２３，１２４が半径方向へ移動可能に設けられている。つまみ１２３とつまみ１２４とは中心軸ＡＸを挟むように配置されている。つまみ１２３に、レンズ鏡筒本体（図示せず）の先端部に設けられたフィルタねじ（図示せず）に螺合するねじ部１２３ａが形成されている。また、つまみ１２４に、レンズ鏡筒本体の先端部に設けられたフィルタねじ（図示せず）に螺合するねじ部１２４ａが形成されている。フィルタねじとねじ部１２３ａ，１２４ａとが螺合することでフロントキャップ１２０の交換レンズのレンズ鏡筒本体からの脱落が防止される。
【００５１】
蓋部１２０Ｂにはつまみ１２３のガイド部１２３ｈと係合するガイド溝１２０ａが形成されている。同様に、蓋部１２０Ｂにはつまみ１２４のガイド部（図示せず）と係合するガイド溝１２０ａが形成されている。ガイド溝１２０ａはつまみ１２３，１２４の半径方向への移動をガイドする。
【００５２】
つまみ１２３，１２４と蓋部１２０Ｂとの間にはつまみ１２３，１２４をそれぞれ半径方向外方へ付勢するばね１２５が設けられている。ばね１２５の付勢力によってつまみ１２３，１２４が付勢され、フィルタねじとねじ部１２３ａ，１２４ａとが噛み合い、フロントキャップ１２０の交換レンズのレンズ鏡筒本体からの脱落が防止される。
【００５３】
また、ばね１２５によってつまみ１２３，１２４が半径方向外方へ付勢されたときにフロントキャップ１２０から脱落しないように、つまみ１２３，１２４にはフロントキャップ１２０に設けられた抜け止め部１２０ｂと当接する脱落防止突起１２３ｂ，１２４ｂが設けられている。
【００５４】
なお、フロントキャップ１２０を交換レンズから取り外すときは、つまみ１２３，１２４をばね１２５の弾性力に抗して中心軸ＡＸ方向へ押し、フィルタねじとねじ部１２３ａ，１２４ａとの噛み合いを解除すればよい。
【００５５】
この実施形態によれば、複数の交換レンズをカメラバッグに収納するとき、フロントキャップ１２０の弾性突起１２１，１２２によって交換レンズの外周面同士が直接接触しないので、交換レンズに弾性突起がないときであっても、複数の交換レンズを傷付けることなくカメラバッグに収納して運ぶことができる。
【００５６】
図１２はこの発明の第２実施形態の変形例に係るレンズキャップの正面図であり、第２実施形態と共通する部分には同一符号を付してその説明を省略する。
【００５７】
この変形例は２つの弾性突起２２１，２２２のうちの一方の弾性突起２２１に紐（図示せず）の一端を通す貫通穴２２１ａを設けた点で第２実施形態と相違する。紐の他端はレンズ鏡筒本体１１０やカメラに取り付けられている。
【００５８】
この変形例によれば、第２実施形態と同様の効果を奏するとともに、貫通穴２２１ａに紐を通すことで、フロントキャップ２２０の紛失を防ぐことができる。
【００５９】
図１３はこの発明の第３実施形態に係るレンズキャップの正面図、図１４はその側面図であり、第２実施形態と共通する部分には同一符号を付してその説明を省略する。
【００６０】
蓋部３２０Ｂの外周面には複数の弾性突起３２１，３２２，３２３，３２４が設けられている。弾性突起３２１，３２２はつまみ１２３を挟むように配置され、弾性突起３２３，３２４はつまみ１２４を挟むように配置されている。
【００６１】
この実施形態によれば、第２実施形態と同様の効果を奏するとともに、複数の交換レンズをカメラバッグに収納したとき、フロントキャップ３２０の弾性突起３２１，３２２，３２３，３２４がそのフロントキャップ３２０に隣接する他のフロントキャップ３２０のつまみ１２３，１２４を押し込むように当接しないため、フロントキャップ３２０が交換レンズから外れることがない。
【００６２】
図１５はこの発明の第３実施形態の変形例に係るレンズキャップの正面図であり、第３実施形態と共通する部分には同一符号を付してその説明を省略する。
【００６３】
この変形例は４つの弾性突起４２１，４２２，４２３，４２４のうちの一つの弾性突起４２１に紐（図示せず）の一端を通す貫通穴４２１ａを設けた点で第３実施形態と相違する。紐の他端はレンズ鏡筒本体やカメラに取り付けられている。
【００６４】
この変形例によれば、第３実施形態と同様の効果を奏するとともに、貫通穴４２１ａに紐を通すことで、フロントキャップ４２０の紛失を防ぐことができる。
【００６５】
上記実施形態及び変形例では交換レンズの被写体側レンズを保護するフロントキャップ、レンズ鏡筒本体の外周面の被写体側の部分に弾性突起を設けたが、弾性突起を設ける場所は交換レンズの像側レンズを保護するリアキャップであってもレンズ鏡筒本体の外周面の像側の部分であってもよい。
【００６６】
なお、上記実施形態ではレンズ鏡筒本体９０、各フロントキャップ２２０，４２０に貫通穴９１ａ，２２１ａ，４２１ａをそれぞれ１つ設けたが、貫通穴をレンズ鏡筒本体９０、各フロントキャップ２２０，４２０にそれぞれ２つ以上設けてもよいことはもちろんである。
【符号の説明】
【００６７】
１０，４０，９０，１００，１１０：レンズ鏡筒本体、１１，１２，４１，４２，７１，７２，８１，８２，９１，９２，１０１，１０２，１１１，１１２，１２１，１２２，２２１，２２２，３２１，３２２，３２３，３２４，４２１，４２２，４２３，４２４：弾性突起、２０，１２０，３２０，４２０：フロントキャップ（レンズキャップ）、９１ａ，２２１ａ，４２１ａ：貫通穴、１１０ａ：溝、１１３：弾性リング、１１５：リング部、１２０Ｂ：蓋部（レンズキャップ本体）、ＡＸ：中心軸。
【図１】
2011252987.tif 000003
【図２】
2011252987.tif 000004
【図３】
2011252987.tif 000005
【図４】
2011252987.tif 000006
【図５】
2011252987.tif 000007
【図６】
2011252987.tif 000008
【図７】
2011252987.tif 000009
【図８】
2011252987.tif 000010
【図９】
2011252987.tif 000011
【図１０】
2011252987.tif 000012
【図１１】
2011252987.tif 000013
【図１２】
2011252987.tif 000014
【図１３】
2011252987.tif 000015
【図１４】
2011252987.tif 000016
【図１５】
2011252987.tif 000017